(57)【特許請求の範囲】
【請求項１】
複数の揺動選別板（９…）を多段に積み重ねた揺動選別部（４）の供給側上部に、混合米タンク（７）に貯留された混合米を受け入れるとともに、前記各揺動選別板（９…）に均等供給するための分配ボックス（１０）を取り付け、該分配ボックス（１０）には、分配供給樋（１３）を連設して前記各揺動選別板（９…）に混合米を分配供給可能に構成した揺動選別機の穀粒分配供給装置であって、
前記分配ボックス（１０）の受入口（１０ａ）の口縁（１０ｂ）に、粗選別網（１１）を着脱自在に内挿した粗選ボックス（１２）を取り付け、
前記粗選別網（１１）は、高さの異なる一対の枠材（１５ａ，１５ｂ）と、側面視が略逆へ字状の他対の側部枠材（１５ｃ，１５ｄ）とにより、概略矩形四辺形状に形成されたものであり、
該枠材（１５ａ，１５ｂ，１５ｃ，１５ｄ）の内側には前記側部枠材（１５ｃ，１５ｄ）間に補強枠（２２）を架設して、該補強枠（２２）を境界とし、傾斜面部に粗選格子部（１７）を、水平面部に異物溜め部（１９）をそれぞれ形成し、
該粗選格子部（１７）は、横断面が山形状の多数の長尺状格子（１６…）を多数並設して各長尺状格子（１６…）間を穀粒落下口（２３）とする一方、
前記異物溜め部（１９）は、前記補強枠（２２）上に配設される多数の長尺状格子（１６…）の端面部（１６ｃ…）と、前記枠材（１５ｂ）上に立設される多数の櫛歯（２０…）と、前記側部枠材（１５ｃ，１５ｄ）の各水平部（１５ｃｆ，１５ｄｆ）と、前記補強枠（２２）と前記枠材（１５ｂ）との間に敷設した格子状の底板（１８）と、によって凹状に囲繞形成したことを特徴とする揺動選別機の穀粒分配供給装置。
【請求項２】
前記粗選格子部（１７）は、前記格子（１６…）の格子間ピッチを１０〜１５ｍｍに形成する一方、前記異物溜め部（１９）は、前記櫛歯（２０…）の櫛歯間ピッチ及び前記底板（１８）の格子間ピッチを２〜５ｍｍに形成してなる請求項１記載の揺動選別機の穀粒分配供給装置。
【発明の詳細な説明】
【技術分野】
【０００１】
本発明は、揺動選別機の穀粒分配装置に関する。
【背景技術】
【０００２】
脱ぷ後の籾・玄米の混合米を選別する揺動選別機の穀粒供給装置において、混合米中に混在する枝梗付き籾や、穀稈切れが分配樋の上端部分に引っ掛かって受入口を塞ごうとするのを防止するため、従来、移送拡散盤（101）を内設する樋（102）と数段に積み重ねた揺動選別盤との間に仕切板(104)により内部を区画する分配ボックス(105)を設け、それらを一体的に構成するとともに揺動運動を与えて移送拡散盤(101)を通過したものを分配ボックス(105)を介して各揺動選別盤に配分供給し、仕切板(104)の上端部分を山形状に形成してストローラック(104a)に形成したものがある（図１１、及び特許文献１参照）。
【０００３】
このものは、仕切版(104)の上端部分がストローラック(104ａ)に形成されているために、枝梗付き籾や、穀稈切れが、押送終端側へと押送されるので、受入口(106)が塞がれることがなく、混合米が受入口(106)から仕切板(104)によって仕切られて分配ボックス(105)に落入し、各揺動選別盤に円滑かつ等量のものが供給されていくといった作用・効果がある。
【０００４】
しかしながら、上記穀粒供給装置にあっては、移送拡散盤(101)の移送始端部と樋(102)の前壁(121)の間に篩線（122）を張設し、移送拡散盤(101)の大部分が断面山形の板状に形成されているから、混合米タンクから混合米が樋(102)内に供給されると、断面山形状の移送拡散盤(101)において受け止められる枝梗付き籾の量が多くなってしまい、したがって、枝梗付き籾が小石、金属片及びその他の異物に混じって移送終端部に搬送され、これら異物とともに機外に排出されてしまう問題があった。
【０００５】
一方、揺動選別機の穀粒供給装置においては、上述の枝梗付き籾や、穀稈切れを除去する機能を備えていないものも多数出回っているため、簡単な構成で容易に取り付け可能な粗選別用のオプション部品の供給が望まれている。
【特許文献１】特開２００２−０８６０７１号公報
【発明の開示】
【発明が解決しようとする課題】
【０００６】
本発明は上記問題点にかんがみ、枝梗付き籾の混じりを少なくして、穀稈切れ、小石、金属片及びその他の異物を回収するとともに、粗選機能を備えていない揺動選別機にあっても、簡単な構成で容易に粗選別作用を付加することができる揺動選別機の穀粒分配供給装置を提供することを技術的課題とする。
【課題を解決するための手段】
【０００７】
上記課題を解決するため請求項１記載の発明は、複数の揺動選別板（９…）を多段に積み重ねた揺動選別部（４）の供給側上部に、混合米タンク（７）に貯留された混合米を受け入れるとともに、前記各揺動選別板（９…）に均等供給するための分配ボックス（１０）を取り付け、該分配ボックス（１０）には、分配供給樋（１３）を連設して前記各揺動選別板（９…）に混合米を分配供給可能に構成した揺動選別機の穀粒分配供給装置であって、前記分配ボックス（１０）の受入口（１０ａ）の口縁（１０ｂ）に、粗選別網（１１）を着脱自在に内挿した粗選ボックス（１２）を取り付け、前記粗選別網（１１）は、高さの異なる一対の枠材（１５ａ，１５ｂ）と、側面視が逆へ字状の他対の側部枠材（１５ｃ，１５ｄ）とにより、概略矩形四辺形状に形成されたものであり、該枠材（１５ａ，１５ｂ，１５ｃ，１５ｄ）の内側には前記側部枠材（１５ｃ，１５ｄ）間に補強枠（２２）を架設して、該補強枠（２２）を境界とし、傾斜面部に粗選格子部（１７）を、水平面部に異物溜め部（１９）をそれぞれ形成し、該粗選格子部（１７）は、横断面が山形状の多数の長尺状格子（１６…）を多数並設して各長尺状格子（１６…）間を穀粒落下口（２３）とする一方、前記異物溜め部（１９）は、前記補強枠（２２）上に配設される多数の長尺状格子（１６…）の端面部（１６ｃ…）と、前記枠材（１５ｂ）上に立設される多数の櫛歯（２０…）と、前記側部枠材（１５ｃ，１５ｄ）の各水平部（１５ｃｆ，１５ｄｆ）と、前記補強枠（２２）と前記枠材（１５ｂ）との間に敷設した格子状の底板（１８）と、によって凹状に囲繞形成する、という技術的手段を講じた。
【０００８】
また、請求項２記載の発明は、前記粗選格子部（１７）は、前記格子（１６…）の格子間ピッチを１０〜１５ｍｍに形成する一方、前記異物溜め部（１９）は、前記櫛歯（２０…）の櫛歯間ピッチ及び前記底板（１８）の格子間ピッチを２〜５ｍｍに形成することを特徴とする。
【発明の効果】
【０００９】
本発明の籾摺選別機の穀粒分配供給装置によれば、揺動選別部（４）の揺動に伴う粗選ボックス（１２）の揺動により、まず、直径２０ｍｍ程度の大異物が粗選格子部（１７）で受け止められて異物溜め部（１９）に収容され、短冊状の枝梗付き籾は粗選格子部（１７）の穀粒落下口（２３）から漏下する。一方、異物溜め部（１９）は、籾粒よりも大きな異物は通過できないが、籾粒は通過することができる２〜５ｍｍピッチの櫛歯（２０…）及び格子状の底板（１８）が形成されており、例えば、籾摺選別作業を一時中断したときに、異物溜め部（１９）に混合米が流入しても、籾摺選別作業を再開すれば、すみやかに混合米を異物溜め部（１９）から漏下させ、異物溜め部（１９）では異物のみを溜めることが可能となる。
【００１０】
そして、籾摺選別作業を一時中断したとき、又は籾摺選別作業を終了したときは、異物溜め部（１９）に溜まった異物を手で拾うか、又は粗選ボックス（１２）から粗選別網（１１）を手で取り外して、異物溜め部（１９）に溜まった異物のみを機外に取り出すことができる。
【００１１】
さらに、粗選機能を備えていない揺動選別機にあっては、混合米を受け入れる分配ボックス（１０）に、粗選ボックス（１２）を取り付けるだけで、粗選機能を備えた揺動選別機に改造することができる。
【発明を実施するための最良の形態】
【００１２】
以下、本発明を実施するための最良の一実施形態について図面を参照して説明する。図１乃至図３において、本発明の穀粒分配供給装置を具備する籾摺選別機１は、横長の箱型機枠２内の一方上部（図１では右上部）に設けた籾摺部３と、箱型機枠２の他方上部（図１では左上部）に設けられ、複数の選別板から構成される揺動選別部４と、籾摺部３下方に配置され、籾摺部３からの摺落米を風選する風選経路及び排塵ファンからなる風選部５と、風選部５により風選された籾と玄米の混合米を揚穀する混合米揚穀機６と、揚穀された混合米を一時貯留させて前記揺動選別部４に供給する混合米タンク７と、揺動選別部４側部に設けられて選別された玄米を精品として機外に取り出す精品揚穀機８と、から全体が構成される。
【００１３】
図３及び図４に示すように、前記揺動選別部４は複数枚の揺動選別板9を多段状に積み重ねて構成されるもので、全体が安全カバー２ａで覆われている。揺動選別部４はその下方に揺動機構（図示せず）が設けられ、本実施の形態では、図３のａ方向に往復動させて前記複数の揺動選別板９を一体で揺動させる構成となっている。符号１０は揺動選別部４の供給側上部に設けた分配ボックスであり、該分配ボックス１０は、混合米タンク７に貯留された混合米を受け入れ、各揺動選別板９に均等供給するように形成され、前記揺動選別部４と一体的に取り付けられている。
【００１４】
そして、分配ボックス１０の受入口１０ａの口縁１０ｂには、粗選別網１１を内挿した粗選ボックス１２が取り付けられる。図４を参照すれば、該粗選ボックス１２の取り付けの際は、分配ボックス１０の口縁１０ｂに粗選ボックス１２の取り付け用のねじ孔１０ｃ…を穿設しておき、粗選ボックス１２の側面に張り出した一対のフランジ１２ａとともにねじ止めすることで、粗選ボックス１２を分配ボックス１０に固設することができる。一方、粗選ボックス１２は、前面壁１２ｂ，後面壁１２ｃ，左側面壁１２ｄ，右側面壁１２ｅ、及び受けフランジ１２ｆ…が形成されているので、粗選別網１１を粗選ボックス１２内に内挿することで、ねじ止め不要で挿脱可能に支持することができる。また、前記粗選別網１１は粗選ボックス１２から容易に取り外すことができるよう、軽量素材で形成することが好ましく、本実施形態では、プラスチック樹脂材により形成して重量を９２グラムとすることができた。
【００１５】
図５に示すように、分配ボックス１０には、分配供給樋１３を連設して各揺動選別板９…に混合米を分配供給可能に構成するとともに、該分配ボックス１０中央部には、分配ボックス１０内の混合米の層厚を均（なら）すための均平板１４が回動軸１４ａによって回動可能に支持されている。
【００１６】
次に、図６乃至図９を参照して粗選別網１１の形状について説明する。図６は粗選別網１１の平面図、図７は粗選別網１１の斜視図、図８は別の方向から見た斜視図、図９は図６のＡ−Ａ’線縦断面図、図１０は図7のＢ−Ｂ’線縦断面図である。
【００１７】
粗選別網１１は、高さの異なる一対の枠材１５ａ，１５ｂと、側面視が略逆へ字状の他対の側部枠材１５ｃ，１５ｄとにより、概略矩形四辺形状に形成されている。そして、枠材１５ａ，１５ｂ，１５ｃ，１５ｄの内側には、側部枠材１５ｃ，１５ｄ間に補強枠２２が架設され、該補強枠２２を境界として、傾斜面部に粗選格子部１７を、水平面部に異物溜め部１９をそれぞれ形成している。
【００１８】
そして、粗選格子部１７は、側部枠材１５ｃ，１５ｄ間で切断したときの横断面が山形状の多数の長尺状格子１６…から形成され（図１０参照）、この格子１６…の山形の尖端１６ａが上方側に向けられ、かつ、格子１６…の長尺方向は枠材１５ａから補強枠２２に向けて下方に緩傾斜させて架設される。そして、この格子１６…を側部枠材１５ｃ，１５ｄ間に多数並設して形成される。該各長尺状格子１６…間を穀粒落下口（２３…）とする。
【００１９】
一方、異物溜め部１９は、側部枠材１５ｃ，１５ｄの水平部１５ｃｆ，１５ｄｆと、補強枠２２上に配設される多数の格子端面部１６ｃ…と、枠材１５ｂ上に横一線状に立設した多数の櫛歯２０…と、補強枠２２と枠材１５ｂとの間に敷設した格子状の底板１８と、によって凹状に囲繞形成される。符号１６ｂは格子１６…の斜面１６ｂ，１６ｂである。
【００２０】
また、補強枠２２上に配設した多数の格子端面部１６ｃ…は、底辺の長さを８．５ｍｍとなし、隣り合う格子端面部１６ｃ，１６ｃ間には、略台形状の選別孔２１…を形成する。このときの、選別孔２１間のピッチは８．０〜９．５ｍｍとするのが好ましい。そして、底板１８の格子間は、穀粒落下口２４…を形成し、枠材１５ｂ上に立設した櫛歯２０…間は、選別孔２５…を形成する。
【００２１】
そして、粗選格子部１７は、格子１６…の格子間ピッチを１０〜１５ｍｍに形成する一方、異物溜め部１９は、櫛歯２０…の櫛歯間ピッチ及び底板１８の格子間ピッチを２〜５ｍｍに形成する。特に、格子１６…の格子間ピッチは１４．５ｍｍが好適であり、櫛歯２０…の櫛歯間ピッチ及び底板１８の格子間ピッチは２ｍｍが好適である。
【００２２】
以上のように構成された籾摺選別機１において、籾摺部３により摺り出された摺米は、風選部５により籾殻等が風選されて籾と玄米の混合米となり、該混合米は混合米揚穀機６により揚穀された後、混合米タンク７に供給され、該混合米タンク７から揺動選別部４の供給側上部に設けた粗選ボックス１２に供給される。粗選ボックス１２においては、揺動選別部４の揺動に伴う粗選ボックス１２の揺動により、まず、粗選別網１１の粗選格子部１７に形成される格子１６によって、籾粒と比較して大きい、例えば、直径が約２０ｍｍ以上の小石、金属片、木屑、藁屑及びその他の大異物が受け止められて、粗選格子部１７から異物溜め部１９に収容される。
【００２３】
このとき、短冊状の枝梗付き籾にあっては、山形状の格子１６…の斜面１６ｂ，１６ｂを滑落するとともに、格子１６…の格子間ピッチが１０〜１５ｍｍと広いために、粗選格子部１７から漏下し、下方の分配ボックス１０に供給されることになる。一方、異物溜め部１９は、籾粒よりも大きな異物は通過できないが、籾粒は通過することができる２〜５ｍｍピッチの櫛歯２０…及び格子状の底板１８が形成されており、例えば、籾摺選別作業を一時中断したときに、混合米タンク７からの混合米の流下により、異物溜め部１９に混合米が流入したとしても、籾摺選別作業を再開すれば、すみやかに混合米を異物溜め部１９から漏下させ、異物溜め部１９では異物のみを溜めることが可能となる。
【００２４】
さらに、藁屑とともに枝梗付き籾が異物溜め部１９に収容されて異物に混じる場合があるが、本実施形態においては、揺動選別部４の揺動に伴う粗選ボックス１２の揺動作用と、異物溜め部１９に形成された格子状の底板１８及び櫛歯２０…とによって、枝梗付き籾の籾粒のみが枝梗からはずれ、籾粒のみを異物溜め部１９から漏下させる機能も備えている。
【００２５】
次に、分配ボックス１０に供給された籾と玄米の混合米は、該分配ボックス１０の均平板１４によって層厚が均され、分配供給樋１３を経て各揺動選別板９…の供給口から各揺動選別板９…に供給され、玄米、混合米および籾に揺動選別される。
【００２６】
そして、籾摺選別作業を一時中断したとき、又は籾摺選別作業を終了したときは、異物溜め部１９に溜まった大異物を手で拾うか、粗選ボックス１２から粗選別網１１を手で取り外し、異物溜め部１９に溜まった大異物を機外に取り出すことができる。このとき、異物溜め部１９における枝梗付き籾の混じりはなく、異物のみを機外に取り出すことができた。
【００２７】
ところで、本実施形態の揺動選別機の穀粒供給装置にあっては、粗選機能を備えていない揺動選別機にあっても、簡単な構成で容易に粗選別作用を付加することができる。すなわち、混合米タンク７から分配ボックス１０に混合米を直接受け入れる形式の揺動選別機にあっては、分配ボックス１０の口縁１０ｂに粗選ボックス１２の取り付け用のねじ孔１０ｃ…を穿設しておき、粗選ボックス１２の側面に張り出した一対のフランジ１２ａとともにねじ止めすることで、粗選ボックス１２を分配ボックス１０に固設され、粗選機能を備えた揺動選別機に改造することができるのである。
【図面の簡単な説明】
【００２８】
【図１】籾摺選別機全体の外観正面図である。
【図２】同籾摺選別機の平面図である。
【図３】同籾摺選別機の背面側から見た一部破断斜視図である。
【図４】分配ボックス上に粗選ボックスを固定し、粗選ボックス内に粗選別網を内挿する際の斜視図である。
【図５】同上の概略縦断面図である。
【図６】粗選別網の平面図である。
【図７】同上の拡大斜視図である。
【図８】別の方向から見た粗選別網の斜視図である。
【図９】図６のＡ−Ａ’線断面図である。
【図１０】図７のＢ−Ｂ’線断面図である。
【図１１】従来の穀粒供給装置の概略図である。
【符号の説明】
【００２９】
１  籾摺選別機
２  箱型機枠
３  籾摺部
４  揺動選別部
５  風選部
６  混合米揚穀機
７  混合米タンク
８  精品揚穀機
９  揺動選別板
１０  分配ボックス
１１  粗選別網
１２  粗選ボックス
１３  分配供給樋
１４  均平板
１５  枠材
１６  格子
１７  粗選格子部
１８  底板
１９  異物溜め部
２０  櫛歯
２１  選別孔
２２  補強枠
２３  穀粒落下口
２４  穀粒落下口
２５  選別孔
【図１】
0004888353.tif 000002
【図２】
0004888353.tif 000003
【図３】
0004888353.tif 000004
【図４】
0004888353.tif 000005
【図５】
0004888353.tif 000006
【図６】
0004888353.tif 000007
【図７】
0004888353.tif 000008
【図８】
0004888353.tif 000009
【図９】
0004888353.tif 000010
【図１０】
0004888353.tif 000011
【図１１】
0004888353.tif 000012